(57)【要約】      （修正有）【課題】インキカートリッジをそのインキカートリッジと適合しない直液式筆記具に挿着してしまうことを未然に防止でき、また、インキカートリッジの接続管部への円滑な挿着が可能となり、しかも、インキカートリッジが机上から転がり落ちるおそれがない直液式筆記具を提供する。【解決手段】前軸４の前端開口部に、前端にペン先２を備えたインキ保留部材６を設ける。インキ保留部材６の後方の前軸４に接続管部４２と該接続管部４２を同心状に包囲する後側筒部４３とを設ける。接続管部４２を、インキを直に貯留するインキカートリッジ８の前端開口部に挿入し、インキ保留部材６とインキカートリッジ８内部とを連通させる。後側筒部４３に後軸５の前端開口部を着脱自在に取り付ける。インキカートリッジ８の前端開口部の外壁に膨出部８１を設ける。【選択図】図１
0003144924.tif 000002
【実用新案登録請求の範囲】
【請求項１】
前軸が、前端にペン先を備えたインキ保留部材を収容する前側筒部と、該前側筒部の後方に連設される接続管部と、該接続管部を同心状に包囲し且つ前記前側筒部の後方に連設される後側筒部とを備え、前記接続管部を、インキを直に貯留するインキカートリッジの前端開口部に挿入し、前記接続管部の外壁と前記インキカートリッジの前端開口部の内壁とを環状に密接嵌合させてインキ保留部材とインキカートリッジ内部とを連通させ、前記後側筒部に後軸の前端開口部を着脱自在に取り付けた直液式筆記具であって、前記インキカートリッジの前端開口部の外壁に膨出部を設けたことを特徴とする直液式筆記具。
【請求項２】
前記膨出部の最大外径が、前記後側筒部の最小内径より小さく設定される請求項１記載の直液式筆記具。
【請求項３】
前記膨出部の外形状が、横断面において非円形状を有する請求項１または２記載の直液式筆記具。
【請求項４】
前記インキカートリッジを合成樹脂の成形体から構成し、前記膨出部を、前記インキカートリッジの内壁が接続管部の外壁と密接嵌合する密接嵌合部よりも前方または後方に配置してなる請求項３記載の直液式筆記具。
【請求項５】
前記膨出部をインキカートリッジの前端開口部の外壁の前端に設け、前記膨出部の後方に、前記密接嵌合部を設けた請求項４記載の直液式筆記具。
【考案の詳細な説明】
【技術分野】
【０００１】
本考案は、直液式筆記具に関する。詳細には、インキカートリッジ内部にインキが直に貯留された直液式筆記具に関する。
【背景技術】
【０００２】
従来この種の直液式筆記具において、例えば、特許文献１には、インキ保留体（本考案のインキ保留部材に相当）の後方に突刺管（本考案の接続管部に相当）が突設され、前記突刺管にインキ筒（本考案のインキカートリッジに相当）が接続され、軸筒（本考案の後軸に相当）が大先（本考案の前軸）に着脱自在に螺着される構造が開示されている。
【０００３】
前記従来の構造において、インキ筒の形状は、メーカーにより異なり、また、同じメーカーの製品の中でも多様の種類が存在する。そのため、ユーザーが、誤ってインキ筒をそのインキ筒と適合しない直液式筆記具に挿着してしまうおそれがある。もし、インキ筒をそのインキ筒に適合しない直液式筆記具に誤って挿着してしまうと、インキ漏れや、適正な筆記性能が得られないなどの不具合が生じる。
【０００４】
また、従来の構造は、大先後端の雄ネジ部を有する筒部と突刺管との間の隙間がインキ筒の肉厚に比べてかなり大きいため、突刺管をインキ筒の前端開口部に挿入する際、突刺管の軸心とインキ筒の軸心が偏心して挿入されやすく、円滑な挿入がなしえないおそれがある。
【０００５】
その上、従来の構造は、インキ筒の交換時に、インキ筒を机上に載置した際、インキ筒が机上を転がり落ちるおそれもある。
【特許文献１】実開昭６１−１７７８８１号明細書
【考案の開示】
【考案が解決しようとする課題】
【０００６】
本考案は前記従来の問題点を解決するものであって、インキカートリッジをそのインキカートリッジと適合しない直液式筆記具に挿着してしまうことを未然に防止でき、また、インキカートリッジの接続管部への円滑な挿着が可能となり、しかも、インキカートリッジが机上から転がり落ちるおそれがない直液式筆記具を提供しようとするものである。尚、本考案において、「前」とはペン先側を指し、「後」とはインキカートリッジ側を指す。
【課題を解決するための手段】
【０００７】
［１］本考案は、前軸４が、前端にペン先２を備えたインキ保留部材６を収容する前側筒部４１と、該前側筒部４１の後方に連設される接続管部４２と、該接続管部４２を同心状に包囲し且つ前記前側筒部４１の後方に連設される後側筒部４３とを備え、前記接続管部４２を、インキを直に貯留するインキカートリッジ８の前端開口部に挿入し、前記接続管部４２の外壁と前記インキカートリッジ８の前端開口部の内壁とを環状に密接嵌合させてインキ保留部材６とインキカートリッジ８内部とを連通させ、前記後側筒部４３に後軸５の前端開口部を着脱自在に取り付けた直液式筆記具であって、前記インキカートリッジ８の前端開口部の外壁に膨出部８１を設けたこと（請求項１）を要件とする。
【０００８】
前記直液式筆記具１（請求項１）において、インキカートリッジ８を接続管部４２に挿入する際、インキカートリッジ８の前端開口部の外壁に設けた膨出部８１が、後側筒部４３の内壁に案内されるため、接続管部４２の軸心とインキカートリッジ８の軸心とが偏心して挿入されても、円滑な挿入が可能となる。また、もし、ユーザーがインキカートリッジ８をそのインキカートリッジ８と適合しない直液式筆記具に挿着しようとしても、その誤った直液式筆記具の後側筒部４３の後端に膨出部８１が引っかかり、その誤りをユーザーに気付かせることができ、インキカートリッジ８の誤挿入を未然に防止することができる。
【０００９】
［２］前記直液式筆記具１において、前記膨出部８１の最大外径Ａが、前記後側筒部４３の最小内径Ｂより小さく設定されること（請求項２）が好ましい。
【００１０】
前記直液式筆記具１（請求項２）において、膨出部８１が後側筒部４３に引っかかってインキカートリッジ８が接続管部４２に挿着できなくなることを防止する。
【００１１】
［３］前記直液式筆記具１において、前記膨出部８１の外形状が、横断面において非円形状を有すること（請求項３）が好ましい。
【００１２】
前記直液式筆記具１（請求項３）において、膨出部８１の外形状が、横断面において非円形状を有するため、インキカートリッジ８を机上に載置しても、机上から転がり落ちることがない。
【００１３】
前記膨出部８１は、環状突起であってもよいが、周状に分散された複数の突起からなることが好ましい。さらに、前記複数の突起は、等間隔に配置されることが好ましい。それにより、インキカートリッジ８を接続管部４２に挿入する際、前記膨出部８１（複数の突起）が、後側筒部４３の内壁に容易に案内されるため、接続管部４２の軸心とインキカートリッジ８の軸心とが偏心して挿入されても、一層、円滑な挿入がなし得る。前記複数の突起の個数は、具体的には、転がり防止機能が有効に発揮される点で、２個〜８個の範囲が好ましい。
【００１４】
［４］前記直液式筆記具１において、前記インキカートリッジ８を合成樹脂の成形体から構成し、前記膨出部８１を、前記インキカートリッジ８の内壁が接続管部４２の外壁と密接嵌合する密接嵌合部８２よりも前方または後方に配置してなること（請求項４）が好ましい。
【００１５】
前記直液式筆記具１（請求項４）において、膨出部８１の存在によってインキカートリッジ８内壁にヒケが生じたとしても、そのヒケは接続管部４２の外壁との密接嵌合部８２には生じず、接続管部４２の外壁との適正な密接嵌合が得られ、インキ漏れ等の不具合が生じない。
【００１６】
［５］前記直液式筆記具１において、前記膨出部８１をインキカートリッジ８の前端開口部の外壁の前端に設け、前記膨出部８１の後方に、前記密接嵌合部８２を設けたこと(請求項５）が好ましい。
【００１７】
前記直液式筆記具１（請求項５）において、膨出部８１の存在によるヒケが密接嵌合部８２に発生することを回避できることに加え、接続管部４２の外壁とインキカートリッジ８内壁との密接嵌合が開始される前に、後側筒部４３の後端にインキカートリッジ８の膨出部８１が引っかかり、その誤りをユーザーに気付かせることができる。
【考案の効果】
【００１８】
請求項１の直液式筆記具によれば、接続管部の軸心とインキカートリッジの軸心とが偏心して挿入されても、円滑な挿入が可能となる。また、もし、ユーザーがインキカートリッジをそのインキカートリッジと適合しない直液式筆記具に挿着しようとしても、その誤りをユーザーに気付かせることができ、インキカートリッジの誤挿入を未然に防止することができる。
【００１９】
請求項２の直液式筆記具によれば、膨出部が後側筒部に引っかかってインキカートリッジが接続管部に挿着できなくなることを防止する。
【００２０】
請求項３の直液式筆記具によれば、膨出部の外形状が、横断面において非円形状を有するため、インキカートリッジを机上に載置しても、机上から転がり落ちることがない。
【００２１】
請求項４の直液式筆記具によれば、膨出部の存在によってインキカートリッジ内壁にヒケが生じたとしても、そのヒケは接続管部の外壁との密接嵌合部には生じず、接続管部の外壁との適正な密接嵌合が得られ、インキ漏れ等の不具合が生じない。
【００２２】
請求項５の直液式筆記具によれば、接続管部の外壁とインキカートリッジ内壁との密接嵌合が開始される前に、後側筒部の後端に膨出部が引っかかり、その誤りをユーザーに気付かせることができる。
【考案を実施するための最良の形態】
【００２３】
本考案を実施の形態を説明する（図１乃至図４参照）。
【００２４】
本実施例の直液式筆記具１は、主に、前軸４と後軸５とからなる軸筒３と、前記前軸４内に収容され、前端にペン先２を備えたインキ保留部材６と、前記後軸５内に収容されるインキカートリッジ８とからなる。
【００２５】
・前軸
前記前軸４は、円筒状の前側筒部４１と、該前側筒部４１の底壁から後方に一体に連設され且つ前側筒部４１より小径円筒状の接続管部４２と、前記前側筒部４１の底壁より後方に一体に連設され且つ前記接続管部４２の外周を同心状に包囲するよう配置された円筒状の後側筒部４３と、前記接続管部４２の後端部に一体に形成されたインキカートリッジ開栓用の突片４４とからなる。前記前軸４は、合成樹脂（例えば、ポリプロピレン）の射出成形により得られる。また、前記後側筒部４３の外壁には、雄ネジ部が形成される。また、前記後側筒部４３の内径Ｂは、８．７ｍｍに設定されている。
【００２６】
・接続管部
前記接続管部４２の外壁には、インキカートリッジ８の前端開口部の内壁と円周面状に密接可能な環状平滑面よりなる密接嵌合部４２ａが形成される。前記密接嵌合部４２ａは、軸方向の適宜寸法を備えるとともに、インキカートリッジ８の前端開口部の内径より僅かに大きい外径を有する。さらに、前記密接嵌合部４２ａの後端部には、環状突起４２ｂが一体に形成される。
【００２７】
・後軸
前記後軸５は、前端が開口され且つ後端が閉鎖された有底筒体であり、合成樹脂(例えば、ポリカーボネイト)の射出成形により得られる。前記後軸５の前端開口部の内壁には、雌ネジ部が形成される。前記雌ネジ部は、前記前軸４の前側筒部４１の外壁の雄ネジ部と螺合可能であり、それにより、前記後軸５の前端部は前軸４の後端部と着脱自在に螺着される。
【００２８】
・インキ保留部材
前記インキ保留部材６は、インキカートリッジ８内の圧力上昇に応じた余剰インキを一時的に保持する部材である。前記インキ保留部材６は、複数の櫛歯よりなるインキ保留部６１(櫛溝部)と、該インキ保留部６１の後端（即ち後端櫛歯６６後端面）より後方に突出され且つ該インキ保留部６１の外径より小さい外径を有する縮径筒部６２と、前記インキ保留部６１の前端より前方に突出されたペン先取付部６３とが、一体に形成された合成樹脂（例えば、ＡＢＳ樹脂）の射出成形体よりなる。また、前記インキ保留部材６の軸心には、軸方向に延び且つ後端が後方に開口された軸心孔６４が設けられる。前記軸心孔６４にはインキ誘導芯７が挿着される。前記ペン先取付部６３には、ペン先２が取り付けられる。尚、本考案におけるインキ保留部材６は、前記構成以外にも、インキ保留部６１が螺旋状溝や迷路状溝からなるもの、あるいは、インキ保留部６１が繊維材料または多孔質材料からなるもの等、いずれであってもよい。
【００２９】
前記インキ保留部材６は前軸４内に挿着される。即ち、前記インキ保留部材６のインキ保留部６１は、前軸４の前側筒部４１内に挿入配置され、前記インキ保留部材６の縮径筒部６２は、前軸４の接続管部４２内に挿入配置される。このとき、ペン先２及びペン先取付部６３が前軸４の前端より前方に突出される。また、前記前軸４の前端（即ちインキ保留部６１の前端）には空気孔６５が開口される。前記空気孔６５によりインキ保留部６１と外気とが連通される。
【００３０】
前記インキ保留部６１には、軸方向に延び且つ径方向外方に開口する第１のスリット６１ａが形成される。前記第１のスリット６１ａにより、インキ保留部６１の櫛歯間が連通される。前記縮径筒部６２の外壁には、軸方向に延び且つ径方向外方に開口する第２のスリット６２ａが形成される。前記第２のスリット６２ａは、前端が第１のスリット６１ａと接続され、後端が軸方向後方（即ちインキカートリッジ８内）に開口される。前記第１のスリット６１ａ及び第２のスリット６２ａと軸心孔６４とは径方向に非連通に構成される。また、前記第１のスリット６１ａと前記第２のスリット６２ａとが、同一軸線上に形成されている。
【００３１】
前記軸心孔６４には、インキ誘導芯７が挿着される。前記インキ誘導芯７は、毛細管力を有する軸方向のインキ導出路を備えるものであればいずれであってもよく、本実施例では、繊維の樹脂加工により得られる棒状体が採用されているが、これ以外にも、例えば、多孔質体、合成樹脂の押出成形体が挙げられる。前記インキ誘導芯７の前端は、ペン先２に接続され、前記インキ誘導芯７の後端は、縮径筒部６２の後端面と略一致している。
【００３２】
前記ペン先２は、ペン先取付部６３に取り付けられる。本実施の形態では、前記ペン先２は、前端に切り割り２１を有する金属板製ペン体（いわゆる万年筆ペン体）が採用されている。前記ペン先２前端の切り割り２１には、インキ誘導芯７の前端が圧接状態で接続されている。尚、本考案において、ペン先２は、前記金属板製ペン体の他、例えば、ボールペンチップ、繊維ペン体、多孔質ペン体、合成樹脂の押出成形体よりなるプラスチックペン体、パイプ状ペン体、毛筆ペン体等が挙げられる。また、前記ペン先２は、インキ誘導芯７を兼ねるものでもよい。
【００３３】
・インキカートリッジ
前記インキカートリッジ８は、前端が開口され且つ後端が閉鎖された有底円筒体よりなり、合成樹脂（例えばポリエチレン）の射出成形により得られる。前記インキカートリッジ８の前端部外壁には、２個の突起よりなる膨出部８１が１８０度対称位置に一体に形成される。
【００３４】
前記膨出部８１の最大外径Ａ（突起の頂部と接する外接円の直径）は、８．３ｍｍに設定される。即ち、前記膨出部８１の最大外径Ａが、前記後側筒部４３の最小内径Ｂより小さく設定される。それにより、膨出部８１が後側筒部４３に引っかかってインキカートリッジ８が接続管部４２に挿着できなくなることを防止できる。
【００３５】
前記膨出部８１の前方のインキカートリッジ８の前端開口部の内壁には、環状平滑面よりなる密接嵌合部８２が形成される。前記インキカートリッジ８の前端開口部には栓体８３が固着され、それにより、インキカートリッジ８内は密封状態となる。前記インキカートリッジ８内にはインキが直に貯溜される。前記密封状態のインキカートリッジ８の前端に前記接続管部４２を挿入すると、接続管部４２の後端に形成された突片４４により栓体８３が後方に押圧され、栓体８３がインキカートリッジ８内に外され、インキカートリッジ８が開栓される。このとき、接続管部４２の外壁の密接嵌合部４２ａ及び環状突起４２ｂと、インキカートリッジ８の前端開口部の内壁とは密嵌状態（密接嵌合状態）にある。
【００３６】
また、本実施の形態は、インキカートリッジ８を接続管部４２に挿入する際、インキカートリッジ８の前端開口部の外壁に設けた膨出部８１（２個の突起）が、後側筒部４３の内壁に案内されるため、接続管部４２の軸心とインキカートリッジ８の軸心とが偏心して挿入されても、円滑な挿入がなし得る。また、本実施の形態は、もし、ユーザーがインキカートリッジ８をそのインキカートリッジ８と適合しない直液式筆記具に挿着しようとしても、その誤った直液式筆記具の後側筒部４３の後端に膨出部８１が引っかかり、その誤りをユーザーに気付かせることができ、インキカートリッジ８の誤挿入を未然に防止することができる。
【００３７】
また、本実施の形態は、膨出部８１が２個の突起からなるため、膨出部８１の外形状が、横断面において非円形状を有するため、インキカートリッジ８を机上に載置しても、机上から転がり落ちることがない。さらに、本実施の形態は、膨出部８１の最大外径Ａがインキカートリッジ８全体の最大外径であるため、膨出部８１の転がり防止機能を有効に発揮できる。
【００３８】
また、本実施の形態は、膨出部８１が、前記インキカートリッジ８の内壁が接続管部４２の外壁と密接嵌合する密接嵌合部８２よりも前方に位置される。そのため、膨出部８１の存在によってインキカートリッジ８内壁にヒケが生じたとしても、そのヒケは接続管部４２の外壁との密接嵌合部８２（環状平滑面）には生じず、接続管部４２の外壁との適正な密接嵌合が得られ、インキ漏れ等の不具合が生じない。
【００３９】
また、本実施の形態は、膨出部８１をインキカートリッジ８の前端開口部の外壁の前端に設け、前記膨出部８１の後方に、前記密接嵌合部８２（環状平滑面）を設けたことにより、膨出部８１の存在によるヒケが密接嵌合部８２に発生することを回避できることに加え、接続管部４２の外壁とインキカートリッジ８内壁との密接嵌合が開始される前に、前軸４の後側筒部４３の後端に膨出部８１が引っかかり、その誤りをユーザーに気付かせることができる。
【図面の簡単な説明】
【００４０】
【図１】本考案の実施の形態の縦断面図である。
【図２】図1におけるインキカートリッジ挿入組立前を示す縦断面図である。
【図３】図２におけるインキカートリッジの拡大縦断面図である。
【図４】図３のＸ−Ｘ線断面図である。
【符号の説明】
【００４１】
１  直液式筆記具
２  ペン先
２１  切り割り
３  軸筒
４  前軸
４１  前側筒部
４２  接続管部
４２ａ  密接嵌合部
４２ｂ  環状突起
４３  後側筒部
４４  突片
５  後軸
６  インキ保留部材
６１  インキ保留部
６１ａ  第１のスリット
６２  縮径筒部
６２ａ  第２のスリット
６３  ペン先取付部
６４  軸心孔
６５  空気孔
６６  後端櫛歯
７  インキ誘導芯
８  インキカートリッジ
８１  膨出部（複数の突起）
８２  密接嵌合部（環状平滑面）
８３  栓体
【図１】
0003144924.tif 000003
【図２】
0003144924.tif 000004
【図３】
0003144924.tif 000005
【図４】
0003144924.tif 000006